(57)【要約】【課題】  便器内壁の洗浄効果が高く、しかも節水効果の高い男性用トイレット装置の提供を目的とする。【解決手段】  センサ１により所定位置に人が存在することを感知すると、水排出弁６を開いて便器２を洗浄するようにした男性用トイレット装置において、前記便器内に設けられ、前記水排出弁を経た水が供給される拡散水ノズル３をそなえ、前記センサの感知動作に応じて前記便器内を複数箇所からの拡散水により洗浄するようにしたことを特徴とする男性用トイレット装置。【選択図】  図１
2005179911.tif 000002
【特許請求の範囲】
【請求項１】
センサにより所定位置に人が存在することを感知すると、水排出弁を開いて便器を洗浄するようにした男性用トイレット装置において、
前記便器内に設けられ、前記水排出弁を経た水が供給される拡散水ノズルをそなえ、
前記センサの感知動作に応じて前記便器内を複数箇所からの拡散水により洗浄するようにしたことを特徴とする男性用トイレット装置。
【請求項２】
請求項1記載の男性用トイレット装置において、
前記水排出弁の開く回数が所定数に達したら出力を生じるカウンタをそなえ、
前記カウンタの出力により前記水排出弁を予め定められた時間開き続けるようにした男性用トイレット装置。
【請求項３】
請求項1記載の男性用トイレット装置において、
前記水排出弁の開かない時間が所定値に達したら出力を生じるタイマをそなえ、
前記タイマの出力により前記水排出弁を予め定められた時間開き続けるようにした男性用トイレット装置。
【請求項４】
請求項１記載の男性用トイレット装置において、
前記水排出弁は、複数のノズルを有し、複数箇所から拡散水を散水するようにした男性用トイレット。
【請求項５】
請求項1記載の男性用トイレットにおいて、
前記複数のノズルは、前記便器内に分散配置されて男性用トイレット装置。
【発明の詳細な説明】
【技術分野】
【０００１】
本発明は、男性用トイレット装置に係り、とくにその散水動作を改良することにより洗浄性能を向上したものに関する。
【背景技術】
【０００２】
一般に、男性用トイレットの洗浄時における便器内の水の流れは、図４に示すように行われる。すなわち、センサ１により人が所定位置に存在することが感知されると、図示しない洗浄回路が作動して便器２内に設けられた水排出弁(図示せず)を開き、便器内壁に沿って散水する。
【発明の開示】
【発明が解決しようとする課題】
【０００３】
しかしながら、このときの散水は、当初乾いている便器内壁の上部から行われ、内壁の一部を伝って流下するものとなる。したがって、便器内壁の一部は洗浄されるが、水の流れない部分は洗浄されないままとなる。この結果、人手による洗浄作業を頻繁に行う必要があり、省力化が望まれている。
【０００４】
また、このような男性用便器の洗浄であっても、１回の散水に２リッタ程度の水が必要であり、節水が望まれている。
【０００５】
本発明は、上述の点を考慮してなされたもので、便器内壁の洗浄効果が高く、しかも節水効果の高い男性用トイレット装置の提供を目的とする。
【課題を解決するための手段】
【０００６】
上記目的達成のため、本発明では、請求項１ないし５記載の男性用トイレット装置を提供するものである。
【０００７】
請求項１では、センサにより所定位置に人が存在することを感知すると、水排出弁を開いて便器を洗浄するようにした男性用トイレット装置において、前記便器内に設けられ、前記水排出弁を経た水が供給される拡散水ノズルをそなえ、前記センサの感知動作に応じて前記便器内を複数箇所からの拡散水により洗浄するようにしたことを特徴とする男性用トイレット装置、
請求項２では、請求項1記載の男性用トイレット装置における前記水排出弁の開く回数が所定数に達したら出力を生じるカウンタをそなえ、前記カウンタの出力により前記水排出弁を予め定められた時間開き続けるようにした男性用トイレット装置、
請求項３では、請求項1記載の男性用トイレット装置における前記水排出弁の開かない時間が所定値に達したら出力を生じるタイマをそなえ、前記タイマの出力により前記水排出弁を予め定められた時間開き続けるようにした男性用トイレット装置、
請求項４では、請求項１記載の男性用トイレット装置における前記水排出弁は、複数のノズルを有し、複数箇所から拡散水を散水するようにした男性用トイレット、および
請求項５では、請求項1記載の男性用トイレットにおける前記複数のノズルは、前記便器内に分散配置されて男性用トイレット装置、
を提供するものである。
【発明の効果】
【０００８】
本発明は上述のように、請求項１ないし５記載の発明により下記の効果を奏するものである。
【０００９】
請求項１記載の発明によれば、便器内壁を拡散水により洗浄するようにしたため、便器内壁全体が満遍なく洗浄され、便器を常に清浄な状態に置くことができ、しかも所要水量は少ない。
【００１０】
請求項２記載の発明によれば、水排出弁の開く回数が所定数に達したら水排出弁を予め定められた時間開き続けるようにしたため、１回当りの水排出量が少なくても定期的に多目の水を流すことにより清浄化される。
【００１１】
請求項３記載の発明によれば、水排出弁の開かない時間が所定値に達したら水排出弁を予め定められた時間開き続けるようにしたため、便器内壁の汚れを未然に防止することができる。
【００１２】
請求項４記載の発明によれば、水排出弁が複数のノズルを有し、複数箇所から拡散水を散水するようにしたため、便器内壁全体が清浄化されるようにできる。
【００１３】
請求項５記載の発明では、複数のノズルが便器内に分散配置されているため、便器内壁が均一に清浄化されるようにできる。
【発明を実施するための最良の形態】
【００１４】
以下、図１ないし図３を参照して本発明の実施の形態を説明する。
【実施例１】
【００１５】
図１(a)，(b)，(c)は、本発明に使用する男性用トイレットの散水状態を示したもので、図１(a)は斜視図、図１(b)は正面図、図１(c)は横断面図である。
【００１６】
この場合、拡散水は、便器２内の左右2箇所ずつに分散配置されていてシャワー状の散水を行う4個の拡散水ノズル３により、便器２の内壁全体に向かって拡散噴出される。各拡散水ノズル３は、互いに適当な間隔を以って配置されており、その結果、拡散水が便器２の内壁全体を伝って流下する。
【００１７】
つまり、便器２の内壁面に流水の膜が形成され、便器２の内壁に付着していた汚れが洗い流される。このとき、必要な水量は、一般的なサイズの便器の場合、概ね５０ｍｌ程度である。
【００１８】
図２(a)，(b)は、図１に示した男性用トイレットの縦断面図であり、図２(a)は人がその前に立っている状態を示し、図２(b)は人がいない状態を示している。
【００１９】
そして、図２(a)の場合は、センサ１が人を感知して水排出ノズル３から拡散水を噴出している状態を示しており、図２(b)の場合は、水の噴出が終ってトラップ４に水が溜まっている状態を示している。
【００２０】
拡散水の噴出量が1回当り５０ｍｌ程度であると、トラップ４に溜まる水はなおも汚れの残った状態であり、これが原因となってときに悪臭を伴うことがある。このような事態を避けるには、水の噴出が数回行われる度に１回ずつ、より大量の水を流してトラップ４内の水の入替えをするとよい。
【００２１】
図３は、この数回の水排出が行われる毎に１回の、より大量の水排出を行う回路構成を示す説明図である。この図３において、センサ１および拡散水ノズル３は上述されており、センサ１の出力信号に応じて洗浄回路５が弁６を開いて拡散水ノズル３に水を供給する。
【００２２】
洗浄回路５の信号出力回数がカウンタ７により計数され、所定数に達するとカウンタ７から洗浄回路５に出力信号が与えられる。カウンタ７は、出力信号を送出すると同時にリセットされ、次の計数動作に移行する。カウンタ７の出力信号が与えられたとき、洗浄回路５は、弁６を長く開いて拡散水ノズル３から長時間に散水させる。
【００２３】
これにより、拡散水ノズル３による散水が所定回数行われる度に多目の水が散水されて便器をより清浄化することができる。
【００２４】
図３に示されたカウンタ７は、洗浄回路５が出力を生じない時間を計測するタイマであってもよい。このタイマ７は、洗浄回路５が所定時間以上にわたり出力を生じなかったら、洗浄回路５に出力を与え、これに応じて洗浄回路５が弁６を長めに開いて多目の拡散水を噴出させる。これにより、水の噴出が長時間行われないときの汚れ防止ができる。
【００２５】
(変形例)
図３に示したカウンタもしくはタイマは、両者の機能を持つ回路にすることもできる。これにより、水の噴出を数回行う度に多目の水を流し、また水の噴出が暫くないときに多目の水を流して便器の汚れを防止することができる。
【図面の簡単な説明】
【００２６】
【図１】本発明の一実施例の構成を示す説明図であり、図１(a)は斜視図、図１(b)は正面図、図１(c)は横断面図。
【図２】図１に示した実施例の縦断面図であり、図２(a)は人の存在をセンサが感知したときを、図２(b)は人がいないときを示した図。
【図３】図１の実施例における制御回路の構成を示す説明図。
【図４】従来の男性用トイレットの説明図。
【符号の説明】
【００２７】
１  センサ
２  便器
３  拡散水ノズル
４  トラップ
５  洗浄回路
６  弁
７  カウンタ（タイマ）
【図１】
2005179911.tif 000003
【図２】
2005179911.tif 000004
【図３】
2005179911.tif 000005
【図４】
2005179911.tif 000006